(57)【要約】【課題】本発明は、送風装置において、更なる使用感の向上を目的とするものである。【解決手段】そしてこの目的を達成するために本発明は、高圧空気を発生させる高圧空気発生部２と、この高圧空気発生部２に接続されるとともに、その長手方向において閉塞部９を有する筒状のダクト３とを備え、このダクト３の風路断面積は、高圧空気発生部２側の方を、閉塞部９側よりも大きくすると共に、高圧空気発生部２側の大風路断面積部分１２と、閉塞部９側の小風路断面積部分１３には、それぞれには、ノズル部１１を設けたこと特徴とするものである。【選択図】図２
2014066429.tif 000002
【特許請求の範囲】
【請求項１】
高圧空気を発生させる高圧空気発生部と、この高圧空気発生部に接続されるとともに、その長手方向において閉塞部を有する筒状のダクトとを備え、このダクトの風路断面積は、前記高圧空気発生部側の方を、前記閉塞部側よりも大きくすると共に、前記高圧空気発生部側の大風路断面積部分と、前記閉塞部側の小風路断面積部分には、それぞれに、ノズル部を設けた送風装置。
【請求項２】
前記高圧空気発生部側の大風路断面積部分と、前記閉塞部側の小風路断面積部分には、それぞれに、複数のノズル部を設けた請求項１に記載の送風装置。
【請求項３】
前記ダクトの小風路断面積部分は、このダクトの内壁面をダクトの中心軸側に移動させて構成し、この内壁面のダクトの中心軸側移動部分に、ノズル部を設けた請求項１または２に記載の送風装置。
【請求項４】
ノズル部には、ダクト内からダクト外への風路ガイドを設けた請求項１から３のいずれか１つに記載の送風装置。
【請求項５】
風路ガイドは、ノズル部のダクト閉塞部側の壁面によって構成した請求項４に記載の送風装置。
【請求項６】
前記高圧空気発生部側の大風路断面積部分に設けた複数のノズル部間隔を、前記閉塞部側の小風路断面積部分に設けた複数のノズル部間隔よりも小さくした請求項２から５のいずれか１つに記載の送風装置。
【請求項７】
前記高圧空気発生部側の大風路断面積部分に設けた複数のノズル部間隔、および前記閉塞部側の小風路断面積部分に設けた複数のノズル部間隔は、前記高圧空気発生部に近づくにつれて小さくした請求項２から６のいずれか１つに記載の送風装置。
【請求項８】
前記ノズル部には、流体素子を配置した請求項１から７のいずれか１つに記載の送風装置。
【発明の詳細な説明】
【技術分野】
【０００１】
本発明は、例えば室内において送風による快適感を持つ、いわゆる扇風機のような送風装置に関する。
【背景技術】
【０００２】
従来、送風装置の構造は、高圧空気を発生する高圧空気発生部と、高圧空気発生部から上方へ伸びると共に、中空の細長い環状形状で、中央に細長い開口を有したダクトと、このダクトにおける開口の一方側内周部にノズル部とを備え、ノズル部から放出される空気流によって本体の外部からの空気が開口を通って引き込まれるものが知られている（例えば、特許文献１参照）。
【先行技術文献】
【特許文献】
【０００３】
【特許文献１】特開２０１０−２０３４５２号公報
【発明の概要】
【発明が解決しようとする課題】
【０００４】
上記従来例における課題は、更なる使用感の向上ということであった。
【０００５】
従来の物においては、ダクトは、高圧空気発生部から鉛直上方向へ伸び、ダクト内を流れる空気流の方向に対して垂直方向に開口したノズル部を有している。
【０００６】
このような構成において、ノズル部から吹き出される空気流は、ダクト内を流れる空気流の方向に対して垂直方向ではなく、ダクト内を流れる空気流の方向に傾いて吹き出すものである。すなわち、ノズル部から吹き出される空気流は、水平方向ではなく、斜め上方へ吹き出されるものである。
【０００７】
更に、ダクト内を流れる空気流の風速が速ければ、ダクト内を流れる空気流の方向により傾いて吹き出すので、より斜め上方へ吹き出されるものである。
【０００８】
すなわち、椅子に座って使用する場合に、足元から、顔まで送風したいが、特に、高圧空気発生部側のダクトを流れる空気流の流速は、閉塞部側のダクトを流れる空気流の流速より速いので、高圧空気発生部から近い位置のノズル部から吹き出される空気流が、高圧空気発生部から遠い位置のノズル部から吹き出される空気流に比べ、より斜め上方へ吹き出されたので、足元への送風量が小さくなるものであった。
【０００９】
そこで、本発明は、より水平方向へ送風することにより、更なる使用感の向上を目的とするものである。
【課題を解決するための手段】
【００１０】
そして、この目的を達成するために、本発明の送風装置は、高圧空気を発生させる高圧空気発生部と、この高圧空気発生部に接続されるとともに、その長手方向において閉塞部を有する筒状のダクトとを備え、このダクトの風路断面積は、前記高圧空気発生部側の方を、前記閉塞部側よりも大きくすると共に、前記高圧空気発生部側の大風路断面積部分と、前記閉塞部側の小風路断面積部分には、それぞれに、ノズル部を設けたこと特徴とする。
【発明の効果】
【００１１】
本発明によれば、高圧空気を発生させる高圧空気発生部と、この高圧空気発生部に接続されるとともに、その長手方向において閉塞部を有する筒状のダクトとを備え、このダクトの風路断面積は、前記高圧空気発生部側の方を、前記閉塞部側よりも大きくすると共に、前記高圧空気発生部側の大風路断面積部分と、前記閉塞部側の小風路断面積部分には、それぞれに、ノズル部を設けたこと特徴とする。
【００１２】
このように、ダクトの風路断面積は、高圧空気発生部側の方を、閉塞部側よりも大きくするので、ダクトの風路断面積が、高圧空気発生部側と閉塞部側とが同じ場合に比べ、高圧空気発生部側のダクトを流れる空気流の流速は遅くなる。
【００１３】
すなわち、高圧空気発生部側のノズル部から吹き出される空気流の方向は、水平方向寄りに吹き出される。これにより、椅子に座って使用する場合に、高圧空気発生部側のノズル部から吹き出される空気流が、水平方向寄りへ吹き出されるので、足元への送風量が大きくなり、結果として、更なる使用感の向上ができるものである。
【図面の簡単な説明】
【００１４】
【図１】本発明の実施の形態１の送風装置の斜視図
【図２】同送風装置の垂直断面図
【図３】（ａ）同送風装置の大風路断面積部分での水平断面図、（ｂ）同送風装置の小風路断面積部分での水平断面図
【発明を実施するための形態】
【００１５】
以下、本発明の実施の形態について図面を参照しながら説明する。
【００１６】
（実施の形態１）
図１は、本発明の実施の形態１の送風装置の斜視図である。図２は、図１を垂直平面により切断した断面図である。
【００１７】
図１、図２に示すように送風装置１は、高圧空気発生部２と、ダクト３とを備えている。
【００１８】
高圧空気発生部２は、本体ケース部４と、この本体ケース部４内に設けた羽根車５と、モータ６とから構成される。
【００１９】
本体ケース部４は、鉛直方向へ伸びた円筒形状で、上面には、円形状の連通部８を有し、下面が閉塞している。側周面の下部には、円環状に吸気口７を有する。羽根車５は、モータ６によって駆動し、大気圧以上、大気圧＋１０ｋＰａ以下の高圧空気を発生させる。
【００２０】
ダクト３は、高圧空気発生部２の本体ケース部４の上面に接続され、上方へ伸びる円筒状で、その長手方向において閉塞部９を有する。つまり、ダクト３の先端を閉塞部９で塞いでいる。このダクト３内の空間が風路１０となる。この風路１０と、本体ケース部４内とは、連通部８を介して連通している。ダクト３の一方側の側周面には、縦長四角形状の開口であるノズル部１１を備えている。
【００２１】
以上の構成における、送風動作について説明する。まず、本体ケース部４内に設けたモータ６によって羽根車５が駆動すると、本体ケース部４外の空気は、本体ケース部４の吸気口７から吸い込まれ、連通部８へ送風される。次に、この連通部８を介して、ダクト３内の風路１０に送風され、この風路１０を介してダクト３の一方側の側周面のノズル部１１から本体ケース部４外へ吹き出すものである。
【００２２】
本実施形態における特徴は、ダクト３の風路１０の形状にある。具体的には、ダクト３の風路断面積は、高圧空気発生部２側の方を、閉塞部９側よりも大きくすると共に、高圧空気発生部２側の大風路断面積部分１２と、閉塞部９側の小風路断面積部分１３には、それぞれに、ノズル部１１を設けた点である。つまり、ダクト３の下方である、大風路断面積部分１２には、大風路側ノズル部１４を有し、ダクト３の上方である、小風路断面積部分１３には、小風路側ノズル部１５を有するものである。
【００２３】
このように、ダクト３の風路断面積は、高圧空気発生部２側の方を、閉塞部９側よりも大きくするので、ダクト３の風路断面積が、高圧空気発生部２側が閉塞部９側と同じ場合に比べ、高圧空気発生部２側のダクトを流れる空気流の流速は遅くなる。
【００２４】
すなわち、高圧空気発生部２側のノズル部１１から吹き出される空気流の方向は、水平方向寄りに吹き出される。これにより、椅子に座って使用する場合に、高圧空気発生部２側のノズル部１１から吹き出される空気流が、水平方向寄りへ吹き出されるので、足元への送風量が大きくなり、結果として、更なる使用感の向上ができるものである。
【００２５】
また、高圧空気発生部２側の大風路断面積部分１２と、閉塞部９側の小風路断面積部分１３には、それぞれには、複数のノズル部１１を設けたものである。具体的には、大風路断面積部分１２には、鉛直方向に並んだ複数の大風路側ノズル部１４を有し、小風路断面積部分１３には、鉛直方向に並んだ複数の小風路側ノズル部１５を有するものである。
【００２６】
このように、大風路断面積部分１２に、複数の大風路側ノズル部１４を備えると、１つの大風路側ノズル部１４を備える場合に比べて、それぞれの大風路側ノズル部１４から吹き出されるので、大風路断面積部分１２全体から満遍なく吹き出ることになる。結果として、大風路断面積部分１２の下方からも、より吹き出されるので、足元への送風量が大きくなる。
【００２７】
また、ダクトの小風路断面積部分１３は、このダクト３の内壁面をダクトの中心軸３ａ側に移動させて構成し、この内壁面のダクト３の中心軸３ａ側移動部分に、ノズル部１１を設けたものである。
【００２８】
すなわち、ダクト３の小風路断面積部分の一方側の内壁面をダクト３の中心軸３ａ側に移動させているので、ダクト３の一方側の内壁面は、小風路断面積部分１３と大風路断面積部分１２との間に段差部１６を有するものである。
【００２９】
これにより、高圧空気発生部２によって、ダクト３内の風路１０の一方側の内壁面側に送風された空気の一部は、小風路断面積部分１３では、段差部１６によって、ダクト３内の風路１０の他方側の内壁面側に流れる。更に、ダクト３の他方側の内壁面は、小風路断面積部分１３と大風路断面積部分１２とは同一面で形成しているので、小風路断面積部分１３では、ダクト３内の一方側の内壁面側の風速は、ダクト３内の他方側の内壁面側の風速より小さくなる。結果として、小風路側ノズル部１５から吹き出される空気流の方向を、より水平にすることができる。
【００３０】
また、ノズル部１１には、ダクト３内からノズル部１１へ流入した空気流の一部の方向を変える風路ガイド１７を設けたものである。具体的には、風路ガイド１７は、ノズル部１１のダクト３の閉塞部９側の壁面（図３に示す素子主流路２３の上壁面）によって構成したものである。
【００３１】
この構成により、ダクト３内からノズル部１１へ流入した空気流の一部が、風路ガイド１７に当たると、ノズル部１１内を流れる空気流の方向が、鉛直上方向から、水平方向寄りへ変化するので、よりノズル部１１からの吹き出し方向を、水平方向に近づけることができる。
【００３２】
また、大風路側ノズル部１４に設けた複数のノズル部間隔を、小風路側ノズル部１５に設けた複数のノズル部間隔よりも小さくしたものである。
【００３３】
すなわち、高圧空気発生部２側のダクトを流れる空気流の流速は、閉塞部９側のダクト３を流れる空気流の流速より遅くなるので、高圧空気発生部２側の大風路断面積部分１２に設けた大風路側ノズル部１４からより大きい風量が吹き出される。
【００３４】
ここで、高圧空気発生部２側の大風路断面積部分１２に設けた複数の大風路側ノズル部１４の間隔を、閉塞部９側の小風路断面積部分１３に設けた複数の小風路側ノズル部１５間隔よりも小さくすることにより、大風路側ノズル部１４での空気抵抗が、小風路側ノズル部１５での空気抵抗より大きくなる。これにより、小風路断面積部分１３と大風路断面積部分１２とから満遍なく吹き出ることになるので、大風路断面積部分１２の下方からも、より吹き出され、足元への送風量が大きくなる。
【００３５】
また、高圧空気発生部２側の大風路断面積部分に設けた複数のノズル部の開口高さ、および閉塞部側の小風路断面積部分に設けた複数のノズル部の開口高さは、高圧空気発生部２に近づくにつれて小さくしたものである。
【００３６】
すなわち、ダクト３を流れる空気流の流速が遅い高圧空気発生部２に近づくにつれて、ノズル部の開口高さが小さくなり、通風抵抗も大きくなる。これにより、小風路断面積部分１３と大風路断面積部分１２とからより均等に吹き出ることになるので、大風路断面積部分１２の下方からも、より吹き出され、足元への送風量が大きくなる。
【００３７】
また、ノズル部１１には、流体素子１８を配置したものである。図３は、平面により切断した水平断面図である。
【００３８】
図３に示すように流体素子１８は、図２に示す高圧空気発生部２において発生された高圧空気を気流１９として吹出し、流入口２１と、吹出し口２２と、素子主流路２３と、循環風路２４とを備えている。ここで流入口２１には、高圧空気発生部２において発生させた高圧空気が流入する。
【００３９】
流入口２１と吹出し口２２と素子主流路２３とは、それぞれ高圧空気の流れ２０に対し垂直方向の流入口断面２１ａ、吹出し口断面２２ｄ、素子主流路断面２３ｃが略長方形である。すなわち図３において流入口断面２１ａ、吹出し口断面２２ｄ、素子主流路断面２３ｃは、紙面に垂直方向に略長方形形状である。吹出し口２２は、外部２７に向かって拡大する形状である。
【００４０】
また素子主流路２３は、流入口２１から吹出し口２２までの流路である。ダクト３の内周面２５に配置されている循環風路２４は、素子主流路２３を形成する一方の面２３ａから分岐して、素子主流路２３を形成する他方の面２３ｂまでの風路である。
【００４１】
そして流体素子１８は、吹出し口２２から吹出す気流１９を素子主流路２３の長方形断面である素子主流路断面２３ｃの短辺方向２３ｄの発振方向２６に振動させる。また、高圧空気とは大気圧以上、大気圧＋１０ｋＰａ以下とする。
【００４２】
吹出し口２２における気流１９の吹き出し角度である拡大角２２ｆは、気流１９の発振が安定して得られる、２０度から４５度程度が望ましい。循環風路の長さ２４ａは、１００ｍｍから１０００ｍｍ程度が気流１９の発振が体感できる周波数となるため望ましい。
【００４３】
このような送風装置１では、気流１９を流体素子１８により素子主流路２３の短辺方向に振動させることができるため、少ないエネルギーにより風速の大きい風を広範囲に送ることができ、広範囲に涼風感が得られる。
【００４４】
このとき、気流１９の振動の周波数としては１Ｈｚから１００Ｈｚ程度が振動を体感でき、自然なゆらぎを体感できる周波数である。この周波数は循環風路の長さ２４ａと、素子主流路２３内の流速とにより設定される。
【００４５】
また、循環風路２４がダクト３の内周面２５に配置されているため、ダクト３内の音の放出が低減され、送風装置１が低騒音化される。
【００４６】
また、小風路断面積部分１３の循環風路２４の長さを、大風路断面積部分１２の循環風路２４の長さより長くすることにより、ダクト３の小風路断面積部分１３の一方側の内壁面をダクト３の中心軸３ａ側に移動できるので、小風路側ノズル部１５の素子主流路２３の長さは大風路側ノズル部１４の素子主流路２３の長さより長くなり、小風路側ノズル部１５から吹き出される空気流の方向を、より水平にすることができる。
【００４７】
更に、小風路断面積部分１３の循環風路２４の長さと、大風路断面積部分１２の循環風路２４の長さが異なるので、大風路側ノズル部１４と小風路側ノズル部１５での気流１９の振動の周波数が異なり、自然なゆらぎを体感できる。
【産業上の利用可能性】
【００４８】
本発明によれば、高圧空気を発生させる高圧空気発生部と、この高圧空気発生部に接続されるとともに、その長手方向において閉塞部を有する筒状のダクトとを備え、このダクトの風路断面積は、前記高圧空気発生部側の方を、前記閉塞部側よりも大きくすると共に、前記高圧空気発生部側の大風路断面積部分と、前記閉塞部側の小風路断面積部分には、それぞれには、ノズル部を設けたこと特徴とする。
【００４９】
このように、ダクトの風路断面積は、高圧空気発生部側の方を、閉塞部側よりも大きくするので、ダクトの風路断面積が、高圧空気発生部側と閉塞部側とが同じ場合に比べ、高圧空気発生部側のダクトを流れる空気流の流速は遅くなる。
【００５０】
すなわち、高圧空気発生部側のノズル部から吹き出される空気流の方向は、水平方向寄りに吹き出される。これにより、椅子に座って使用する場合に、高圧空気発生部側のノズル部から吹き出される空気流が、水平方向寄りへ吹き出されるので、足元への送風量が大きくなり、結果として、更なる使用感の向上ができるものである。
【００５１】
したがって、家庭用や事務用、公共空間などの、送風装置としての活用が期待されるものである。
【符号の説明】
【００５２】
１    送風装置
２    高圧空気発生部
３    ダクト
３ａ  中心軸
４    本体ケース部
５    羽根車
６    モータ
７    吸気口
８    連通部
９    閉塞部
１０    風路
１１    ノズル部
１２    大風路断面積部分
１３    小風路断面積部分
１４    大風路側ノズル部
１５    小風路側ノズル部
１６    段差部
１７    風路ガイド
１８    流体素子
１９    気流
２０    高圧空気の流れ
２１    流入口
２２    吹出し口
２２ｆ  拡大角
２３    素子主流路
２３ａ  一方の面
２３ｂ  他方の面
２３ｃ  素子主流路断面
２３ｄ  短辺方向
２４    循環風路
２４ａ  循環風路の長さ
２５    内周面
２６    発振方向
２７    外部
【図１】
2014066429.tif 000003
【図２】
2014066429.tif 000004
【図３】
2014066429.tif 000005